(57)【特許請求の範囲】
【請求項１】
ベースバンドユニット（ＢＢＵ）処理プールであって、
トランスポートネットワークを介して複数の遠隔無線ヘッド（ＲＲＨ）と通信するトランスポートネットワークインターフェースと、
複数のＢＢＵを管理するプールプロセッサであって、前記複数のＢＢＵは、ＲＲＨ制御プロトコルに従って前記複数のＲＲＨを制御するように構成される、プールプロセッサと、
を備え、
前記プールプロセッサは、前記複数のＲＲＨの少なくとも１つのＲＲＨの制御を、前記複数のＢＢＵの少なくとも１つのＢＢＵから少なくとも１つのターゲットＢＢＵ処理プールに移行するように構成される、
ＢＢＵ処理プール。
【請求項２】
前記プールプロセッサは、前記ＢＢＵ処理プールに、前記ターゲットＢＢＵ処理プールに向けて要求メッセージを送信させ、
前記要求メッセージは、前記ＢＢＵによって制御されるセルのセル情報と、前記セル内のＵＥのユーザ機器（ＵＥ）情報とを含む、
請求項１に記載のＢＢＵ処理プール。
【請求項３】
前記要求メッセージは、Ｘ２アプリケーションプロトコルメッセージを含む、
請求項２に記載のＢＢＵ処理プール。
【請求項４】
前記プールプロセッサは、前記ＢＢＵ処理プールと前記ＲＲＨとの間のスイッチング要素をトリガして、前記ＲＲＨの制御パスを前記ターゲットＢＢＵ処理プールに切り替える、
請求項１に記載のＢＢＵ処理プール。
【請求項５】
前記プールプロセッサは、前記ＢＢＵ処理プールの負荷に基づいて、前記ＲＲＨの制御の移行をトリガする、
請求項１に記載のＢＢＵ処理プール。
【請求項６】
前記プールプロセッサは、前記複数のＲＲＨの全ての制御を、前記少なくとも１つのターゲットＢＢＵ処理プールに移行する、
請求項１に記載のＢＢＵ処理プール。
【請求項７】
前記ＢＢＵ処理プールの負荷がＢＢＵ負荷閾値未満であるとき、前記複数のＲＲＨの全ての前記制御の前記移行をトリガする、
請求項６に記載のＢＢＵ処理プール。
【請求項８】
前記プールプロセッサは、前記ターゲットＢＢＵ処理プールに、前記ＢＢＵのバッファされたダウンリンクパケットを転送する、
請求項１乃至７のいずれか一項に記載のＢＢＵ処理プール。
【請求項９】
前記プールプロセッサは、運用管理（ＯＡＭ）ネットワークエンティティからの要求に基づいて、前記ＲＲＨの前記制御を移行する、
請求項１乃至７のいずれか一項に記載のＢＢＵ処理プール。
【請求項１０】
前記複数のＢＢＵは、複数の仮想化された進化型ノードＢ（ｅＮＢ）を含む、
請求項１乃至７のいずれか一項に記載のＢＢＵ処理プール。
【請求項１１】
ベースバンドユニット（ＢＢＵ）処理プールを備えるシステムであって、前記ＢＢＵ処理プールは、
トランスポートネットワークを介して複数の遠隔無線ヘッド（ＲＲＨ）と通信するトランスポートネットワークインタフェースと、
複数のＢＢＵを管理するプールプロセッサであって、前記複数のＢＢＵは、ＲＲＨ制御プロトコルに従って前記複数のＲＲＨを制御するように構成される、プールプロセッサと、
を有し、
前記プールプロセッサは、ソースＢＢＵ処理プールから、少なくとも１つのＲＲＨの制御を前記ソースＢＢＵ処理プールから前記ＢＢＵ処理プールに移行する要求を受信し、前記ＢＢＵ処理プールのＢＢＵに前記ＲＲＨを制御させるように構成される、
システム。
【請求項１２】
前記プールプロセッサは、前記ソースＢＢＵ処理プールから要求メッセージを受信し、
前記要求メッセージは、前記ソースＢＢＵ処理プールによって制御されるセルのセル情報と、前記セル内のＵＥのユーザ機器（ＵＥ）情報とを含む、
請求項１１に記載のシステム。
【請求項１３】
前記プールプロセッサは、前記ＢＢＵ処理プールの前記ＢＢＵに、前記セル情報及びＵＥ情報に従って前記ＲＲＨを制御させる、
請求項１２に記載のシステム。
【請求項１４】
前記要求メッセージは、Ｘ２アプリケーションプロトコルメッセージを含む、
請求項１２に記載のシステム。
【請求項１５】
前記プールプロセッサは、前記ソースＢＢＵ処理プールから、前記ＲＲＨに対するバッファされたダウンリンクパケットを受信する、
請求項１１乃至１４のいずれか一項に記載のシステム。
【請求項１６】
前記複数のＢＢＵは、複数の仮想化された進化型ノードＢ（ｅＮＢ）を含む、
請求項１１乃至１４のいずれか一項に記載のシステム。
【請求項１７】
第１のベースバンドユニット（ＢＢＵ）処理プールによって実行される方法であって、
複数のＢＢＵを管理するステップであって、前記複数のＢＢＵは、トランスポートネットワークを介して複数の遠隔無線ヘッド（ＲＲＨ）を制御するように構成される、ステップと、
前記第１のＢＢＵ処理プールと第２のＢＢＵ処理プールとの間で、少なくとも１つのＲＲＨの制御を移行するステップと、
を含む方法。
【請求項１８】
前記第１のＢＢＵ処理プールと前記第２のＢＢＵ処理プールとの間で、要求メッセージを通信するステップであって、前記要求メッセージは、ソースＢＢＵ処理プールからターゲットＢＢＵ処理プールへのメッセージを含み、前記要求メッセージは、前記ソースＢＢＵ処理プールによって制御されるセルのセル情報と、前記セル内のＵＥのユーザ機器（ＵＥ）情報とを含む、ステップ、
を含む、請求項１７に記載の方法。
【請求項１９】
前記少なくとも１つのＲＲＨの制御を、前記第１のＢＢＵ処理プールから前記第２のＢＢＵ処理プールに移行するステップ、
を含む、請求項１７又は１８に記載の方法。
【請求項２０】
前記少なくとも１つのＲＲＨの制御を、前記第２のＢＢＵ処理プールから前記第１のＢＢＵ処理プールに移行するステップ、
を含む、請求項１７又は１８に記載の方法。
【請求項２１】
第１のベースバンドユニット（ＢＢＵ）処理プールにおいて、少なくとも１つのコンピュータプロセッサに、
複数のＢＢＵを管理するステップであって、前記複数のＢＢＵは、トランスポートネットワークを介して複数の遠隔無線ヘッド（ＲＲＨ）を制御するように構成される、ステップと、
前記第１のＢＢＵ処理プールと第２のＢＢＵ処理プールとの間で、少なくとも１つのＲＲＨの制御を移行するステップと、
を実行させるプログラム。
【請求項２２】
前記第１のＢＢＵ処理プールと前記第２のＢＢＵ処理プールとの間で、要求メッセージを通信するステップであって、前記要求メッセージは、ソースＢＢＵ処理プールからターゲットＢＢＵ処理プールへのメッセージを含む、前記要求メッセージは、前記ソースＢＢＵ処理プールによって制御されるセルのセル情報と、前記セル内のＵＥのユーザ機器（ＵＥ）情報とを含む、ステップ、
を前記少なくとも１つのコンピュータプロセッサに実行させる、請求項２１に記載のプログラム。
【請求項２３】
前記少なくとも１つのＲＲＨの制御を、前記第１のＢＢＵ処理プールから前記第２のＢＢＵ処理プールに移行するステップ、
を前記少なくとも１つのコンピュータプロセッサに実行させる、請求項２１又は２２に記載のプログラム。
【請求項２４】
前記第１のＢＢＵ処理プールと前記ＲＲＨとの間のスイッチング要素をトリガして、前記ＲＲＨの制御パスを前記第２のＢＢＵ処理プールに切り替えるステップ、
を前記少なくとも１つのコンピュータプロセッサに実行させる、請求項２３に記載のプログラム。
【請求項２５】
前記少なくとも１つのＲＲＨの制御を、前記第２のＢＢＵ処理プールから前記第１のＢＢＵ処理プールに移行するステップ、
を前記少なくとも１つのコンピュータプロセッサに実行させる、請求項２１又は２２に記載のプログラム。
【請求項２６】
請求項２１乃至２５のいずれか一項に記載のプラグラムを記憶した有形のコンピュータ可読非一時的記憶媒体。
【発明の詳細な説明】
【技術分野】
【０００１】
相互参照
本願は、２０１４年７月２８日出願の「ＢＢＵプール間の移行」と題する米国仮特許出願第６２／０２９９３３の利益及び優先権を主張し、参照によりその開示全体を本明細書に援用する。
【０００２】
本明細書に記載される一部の実施形態は、一般に、ベースバンドユニット（ＢＢＵ）処理プール間のリモート無線ヘッド（ＲＲＨ）の制御の移行に関する。
【背景技術】
【０００３】
集中型、協調型又はクラウド型の無線アクセスネットワーク（Ｃ−ＲＡＮ）は、複数の分散された遠隔無線ユニット（ＲＵ）（「遠隔無線ヘッド（ＲＲＨ）」とも呼ばれる）を含むことができ、例えば、光ファイバトランスポートネットワークのような、高帯域幅且つ低遅延のトランスポートネットワークのような伝送ネットワークを介して、クラウドに接続することができる。
【０００４】
Ｃ−ＲＡＮは、複数のベースバンドユニット（ＢＢＵ）（デジタルユニット（ＤＵ）とも呼ばれる）を含むことができる。ＢＢＵは、共通公衆無線インタフェース（Common  Public  Radio  Interface：ＣＰＲＩ）や任意の他のインタフェース等のインタフェースを用いて、ＲＲＨと通信することができる。
【０００５】
“ローカライズされたＢＢＵプール”アーキテクチャ（「小規模Ｃ−ＲＡＮ」又は「ローカライズＣ−ＲＡＮ」とも呼ばれる）によれば、オペレータは、複数のＢＢＵ処理プール（例えば小又は中サイズのＢＢＵプール）を配置して、複数のＲＲＨ（例えば中程度の数のＲＲＨ）を制御することができる。ＢＢＵ処理プールは、複数のＢＢＵを含むことができる。
【０００６】
文書“SUGGESTIONS  ON  POTENTIAL  SOLUTIONS  TO  C-RAN  BY  NGMN  ALLIANCE”（次世代ネットワークネットワーク（ＮＧＭＮ）アライアンス、バージョン４．０、２０１３年１月３日）（“ＮＧＭＮ文書”）によれば、スモールセルＣ−ＲＡＮアーキテクチャは、例えば、多数のサイトマシンルームリソースを有するオペレータに適することがある。ＮＧＭＮの文書によれば、例えば、あるサイズを超えるＣ−ＲＡＮの展開では性能向上がわずかであるので、中小規模のＣ−ＲＡＮアーキテクチャが有利である。
【０００７】
例えば、ローカライズされたＣ−ＲＡＮ展開及び／又は任意の他のアーキテクチャにおいて、ＢＢＵプールの効率的な管理及び／又は相互作用が必要となる。
【図面の簡単な説明】
【０００８】
説明を簡潔且つ明確にするために、図面に示された要素は必ずしも縮尺通りに描かれていない。例えば、表示の明瞭化のために、いくつかの要素の寸法は、他の要素に対して誇張されていることがある。更に、図中の参照番号は、対応する又は類似の要素を示すために繰り返されることがある。
【図１】一部の実例となる実施形態に係るシステムの概略ブロック図である。
【図２】一部の実例となる実施形態に係るベースバンドユニット（ＢＢＵ）処理プールの概略ブロック図である。
【図３】一部の実例となる実施形態に係る、第１の進化型ノードＢ（ｅＮＢ）と第２の進化型ノードＢ（ｅＮＢ）との間のメッセージ交換の概略図である。
【図４】一部の実例となる実施形態に係る、遠隔無線ヘッド（ＲＲＨ）をＢＢＵ処理プール間で切り替えるためのスイッチングトポロジの概略ブロック図である
【図５】一部の実例となる実施形態に係る、遠隔無線ヘッド（ＲＲＨ）をＢＢＵ処理プール間で切り替えるためのスイッチングトポロジの概略ブロック図である。
【図６】一部の実例となる実施形態に係る、ＢＢＵ処理プール間でＲＲＨを転送する方法の概略フローチャートである
【図７】一部の実例となる実施形態に係る製品の概略図である。
【発明を実施するための形態】
【０００９】
以下の詳細な説明では、一部の実施形態の完全な理解を提供するために、多数の具体的な詳細が示される。しかしながら、当業者であれば、これらの具体的な詳細なしに一部の実施形態を実施できることを理解できるであろう。他の例では、周知の方法、手順、構成要素、ユニット及び／又は回路は、説明を不明瞭にしないように詳細には記載されていない。
【００１０】
本明細書の議論において、例えば、「処理する」、「計算する」、「計算する」、「決定する」、「確立する」、「分析する」、「確認する」等の用語を利用する場合、コンピュータのレジスタ及び／又はメモリ内の物理的（例えば電子的）量として表されるデータを、コンピュータのレジスタ及び／又はメモリその他の、動作及び／又は処理を実行するための命令を記憶することができる情報記憶媒体の物理量として同様に表される他の同様のデータに操作及び／又は変換するコンピュータ、コンピューティングプラットフォーム、コンピューティングシステム又は他の電子コンピューティングデバイスの処理を指す。
【００１１】
本明細書で使用される「複数（plurality）」及び「複数（a  plurality）」という用語は、例えば、「複数（multiple）」又は「２以上」を含む。例えば、「複数のアイテム」は２以上のアイテムを含む。
【００１２】
「一実施形態」、「実施形態」、「実例となる実施形態」、「様々な実施形態」等の言及は、そのように記載された実施形態が特定の特徴、構造又は特徴を含むことを示すが、全ての実施形態が必ずしも特定の特徴、構造又は特性を含むわけではない。更に、「一実施形態では」という語句を繰り返し用いるが、必ずしも同じ実施形態を指すものではない（同じ実施形態を指すこともある）。
【００１３】
本明細書で使用される場合、他に特定されない限り、共通のオブジェクトを記述するための順序付き形容詞「第１」、「第２」、「第３」等の使用は、類似オブジェクトの異なるインスタンスが参照されることを示すに過ぎず、そのように記述されたオブジェクトが、時間的、空間的、順位付けのいずれかの順序で与えられなければならないことを暗示することを意図するものではない。
【００１４】
一部の実施形態は、様々な装置、ネットワーク及びシステムと組み合わせて採用することができ、例えば、コンピュータ、サーバコンピュータ、クラウドコンピュータ、デジタルユニット（ＤＵ）、ベースバンドユニット（ＢＢＵ）、ＢＢＵ処理プール、集中型、協力型又はクラウド型の無線アクセスネットワーク（Ｃ−ＲＡＮ）システム、ローカライズされたＣ−ＲＡＮ、ローカライズされたＢＢＵプール、小規模Ｃ−ＲＡＮ、Ｃ−ＲＡＮプロセッサ、Ｃ−ＲＡＮコンピュータ、Ｃ−ＲＡＮサーバ、Ｃ−ＲＡＮ処理プール、Ｃ−ＲＡＮクラウド、基地局（ＢＳ）、ノード、セルラネットワーク、セルラノード等と組み合わせて採用することができる。
【００１５】
一部の実施形態は、既存の第３世代パートナーシッププロジェクト（３ＧＰＰ）及び／又はロングタームエボリューション（ＬＴＥ）の文書及び／又は仕様及び／又は今後のバージョン及び／又はその派生物に従って動作する装置及び／又はネットワーク、既存の次世代モバイルネットワーク（ＮＧＭＮ）アライアンスの文書及び／又は仕様（“SUGGESTIONS  ON  POTENTIAL  SOLUTIONS  TO  C-RAN  BY  NGMN  ALLIANCE”、次世代モバイルネットワーク（ＮＧＭＮ）アライアンス、バージョン４．０、２０１３年１月３日、及び／又は“SUB  TASK  D4  DELIVERABLE  LIAISONS，CONTRIBUTIONS  TO  3GPP  ETSI  ON  COLLABORATIVE  RADIO/MIMO，ORI  INTERFACE，ETC，BY  NGMN  ALLIANCE，Version1．0”、２０１３年１月３日）及び／又は今後のバージョン及び／又はその派生物に従って動作する装置及び／又はネットワーク、上記のネットワークの一部であるユニット及び／又は装置等と組み合わせて採用することができる。
【００１６】
一部の実施形態は、１以上のタイプの無線通信信号及び／又はシステムと組み合わせて採用することができ、例えば、無線周波数（ＲＦ）、周波数分割多重（ＦＤＭ）、直交ＦＤＭ（ＯＦＤＭ）、シングルキャリア周波数分割多元接続（ＳＣ−ＦＤＭＡ）、時分割多重（ＴＤＭ）、時分割多元接続（ＴＤＭＡ）、拡張ＴＤＭＡ（Ｅ−ＴＤＭＡ）、汎用パケット無線サービス（ＧＰＲＳ）、拡張ＧＰＲＳ、符号分割多元接続（ＣＤＭＡ）、広帯域ＣＤＭＡ（ＷＣＤＭＡ(登録商標)）、ＣＤＭＡ２０００、シングルキャリアＣＤＭＡ、マルチキャリアＣＤＭＡ、マルチキャリア変調（ＭＤＭ）、離散マルチトーン（ＤＭＴ）、Ｂｌｕｅｔｏｏｔｈ（登録商標）、全地球測位システム（ＧＰＳ）、ワイヤレスフィデリティ（Ｗｉ−Ｆｉ）、Ｗｉ−Ｍａｘ、ＺｉｇＢｅｅ（登録商標）、超広帯域（ＵＷＢ）、モバイル通信用グローバルシステム（ＧＳＭ(登録商標)）、第２世代（２Ｇ）、２．５Ｇ、３Ｇ、３．５Ｇ、４Ｇ、第５世代（５Ｇ）モバイルネットワーク、３ＧＰＰ、ロングタームエボリューション（ＬＴＥ）セルラシステム、ＬＴＥアドバンスセルラシステム、高速ダウンリンクパケットアクセス（ＨＳＤＰＡ）、高速アップリンクパケットアクセス（ＨＳＵＰＡ）、高速パケットアクセス（ＨＳＰＡ）、ＨＳＰＡ＋、シングルキャリア無線伝送技術（１ＸＲＴＴ）、ＥＶ−ＤＯ（Evolution-Data  Optimized）、EDGE（Enhanced  Data  rates  for  GSM  Evolution）等と組み合わせて採用することができる。他の実施形態は、様々な他の装置、システム及び／又はネットワークで使用されてよい。
【００１７】
本明細書で用いられる場合、「無線装置」とは、例えば、無線通信可能な装置、無線通信可能な通信装置、無線通信可能な通信基地局、無線通信可能な携帯装置又は非携帯装置等を含む。一部の実例となる実施形態では、無線装置は、コンピュータと一体化された周辺機器であってもよいし、コンピュータに取り付けられた周辺機器であってもよい。一部の実例となる実施形態では、「無線装置」という用語は、任意に、無線サービスを含んでよい。
【００１８】
通信信号に関して本明細書で使用される「通信する」という用語は、通信信号を送信すること及び／又は通信信号を受信することを含む。例えば、通信信号を通信することができる通信ユニットは、通信信号を少なくとも１つの他の通信ユニットに送信するためのトランスミッタ、及び／又は少なくとも１つの他の通信ユニットから通信信号を受信するための通信レシーバを有してよい。「通信する」という動詞は、送信の動作又は受信の動作を指すために使用することがある。一例では、「信号を通信する」というフレーズは、第１の装置によって信号を送信する動作を指し、必ずしも第２の装置によって信号を受信する動作を含まなくてもよい。別の例では、「信号を通信する」というフレーズは、第１のデバイスによって信号を受信する動作を指し、必ずしも第２のデバイスによって信号を送信する動作を含まなくてもよい。
【００１９】
一部の実例となる実施形態は、本明細書において、ＬＴＥネットワークに関して説明される。しかしながら、他の実施形態は、任意の他の適切なセルラネットワーク又はシステム、例えば、ユニバーサル移動体通信システム（ＵＭＴＳ）セルラシステム、ＧＳＭネットワーク、３Ｇセルラネットワーク、４Ｇセルラネットワーク、４．５Ｇネットワーク、５Ｇセルラネットワーク、ＷｉＭａｘセルラネットワーク等で実現されてよい。
【００２０】
一部の実例となる実施形態は、トランスポートネットワークを介して複数のベースバンドユニット（ＢＢＵ）によって制御される複数の遠隔無線ヘッド（ＲＲＨ）の配備を利用することができる集中型、協調型又はクラウド型の無線アクセスネットワーク（Ｃ−ＲＡＮ）と組み合わせて採用することができる。
【００２１】
他の実施形態は、任意の他の適切な通信ネットワーク及び／又はアーキテクチャと組み合わせて採用することができる。
【００２２】
本明細書で使用される場合、「アンテナ」という用語は、１以上のアンテナ素子、コンポーネント、ユニット、アセンブリ及び／又はアレイの任意の適切な構成、構造及び／又は配置を含んでよい。一部の実施形態では、アンテナは、別個の送信アンテナ素子及び受信アンテナ素子を用いて、送信機能及び受信機能を実現してよい。一部の実施形態では、アンテナは、共通の且つ／又は統合された送信／受信要素を用いて、送信機能及び受信機能を実現してよい。アンテナは、例えば、フェーズドアレイアンテナ、単一素子アンテナ、ダイポールアンテナ、スイッチドビームアンテナのセット及び／又は同様のものを含むことができる。
【００２３】
本明細書で使用される場合、「セル」という用語は、ネットワークリソース（例えばダウンリンクリソース、任意にアップリンクリソース）の組合わせを含んでよい。リソースは、例えばセルラーノード（「基地局」とも呼ばれる）等によって、制御されてよく、且つ／又は割り当てられてよい。ダウンリンクリソースのキャリア周波数とアップリンクリソースのキャリア周波数との間のリンクは、ダウンリンクリソース上で送信されるシステム情報に示されてよい。
【００２４】
一例では、セルラノードの１以上の機能は、例えば後述するように、例えばＣ−ＲＡＮアーキテクチャ又は他の任意のアーキテクチャに従って、ＢＢＵとＲＲＨとの間に分散されてよい。
【００２５】
図１を参照する。図１は、一部の実例となる実施形態に係るシステム１００のブロック図を概略的に示す。
【００２６】
一部の実例となる実施形態では、システム１００は、ＢＢＵ処理プール１０２及び／又はＢＢＵ処理プール１０４等の、複数のベースバンドユニット（ＢＢＵ）処理プール（「デジタルユニット（ＤＵ）プール」又は「ＢＢＵプール」とも呼ばれる）を備えてよく、複数の遠隔無線ヘッド（ＲＲＨ）（「遠隔無線ユニット（ＲＵ）」とも呼ばれる）を制御してよい。
【００２７】
例えば、図１に示されるように、ＢＢＵ処理プール１０２は、例えばＲＲＨ１１０、ＲＲＨ１１２及び／又はＲＲＨ１１４を含む複数のＲＲＨを制御してよい。且つ／又は、ＢＢＵ処理プール１０４は、例えばＲＲＨ１２０，ＲＲＨ１２２及び／又はＲＲＨ１２４を含む複数のＲＲＨを制御してよい。
【００２８】
一部の実例となる実施形態では、ＢＢＵ処理プール１０２及び／又は１０４は、例えば、光ファイバトランスポートネットワーク等の高帯域幅且つ低遅延のトランスポートネットワーク及び／又は任意の他のトランスポートネットワーク等のトランスポートネットワークを介して、複数のＲＲＨに接続されてよい。
【００２９】
一部の実例となる実施形態では、ＲＲＨ１１０，１１２，１１４，１２０，１２２及び／又は１２４は、無線周波数（ＲＦ）送信及び／又は受信からデジタルベースバンド及び／又はトランスポートネットワークへの適応、及び／又は任意の他の動作、通信及び／又は機能等の無線機能を実行するように構成される回路、ロジック及び／又は処理システムを備えてよい。例えば、ＲＲＨ１１０，１１２，１１４，１２０，１２２及び／又は１２４は、ＲＦ増幅、アップコンバート、ダウンコンバート、フィルタリング、アナログ／デジタル（Ａ／Ｄ）変換、デジタルアナログ（Ｄ／Ａ）変換、インタフェース適合、データ圧縮及び／又はセル特有の処理（高速フーリエ変換（ＦＦＴ）、逆ＦＦＴ（ＩＦＦＴ）、フレーミング等）を実行するように構成される回路、ロジック及び／又は処理システムを備えてよい。ＲＲＨは、トランスポートネットワークを介して、又は１以上の他のＲＲＨ（例えば一連の１以上のＲＲＨ）を介して、ＢＢＵに直接接続されてよい。
【００３０】
一部の実例となる実施形態では、ＢＢＵ処理プール１０２及び／又は１０４は、ＢＢＵクラウド（「デジタルユニット（ＤＵ）クラウド」とも呼ばれる）を含んでよく、又はそれとして実現されてよい。
【００３１】
一部の実例となる実施形態では、ＢＢＵ処理プールは、複数のＢＢＵ（例えば相互に接続された複数の同一のＢＢＵ）又は同一若しくは異なるＢＢＵの任意の他の組み合わせを含んでよい。
【００３２】
一部の実例となる実施形態では、ＢＢＵ処理プールのＢＢＵは、ＢＢＵ処理プールに接続されたＲＲＨを制御するように構成されてよい。
【００３３】
一部の実例となる実施形態では、セルラノード（例えば進化型ノードＢ（ｅＮＢ）又は任意の他のセルラノード若しくは基地局）の機能は、ＢＢＵとＢＢＵによって制御されるＲＲＨとの間で分割されてよい。
【００３４】
例えば、ＢＢＵ処理プール１０２の第１のＢＢＵは、セル１１１内の１以上のユーザ機器（ＵＥ）と通信するようにＲＲＨ１１０を制御してよく、ＢＢＵ処理プール１０２の第２のＢＢＵは、セル１１３内の１以上のＵＥと通信するようにＲＲＨ１１２を制御してよく、且つ／又は、ＢＢＵ処理プール１０２の第３のＢＢＵは、セル１１５内の１以上のＵＥと通信するようにＲＲＨ１１４を制御してよい。例えば、ＢＢＵ処理プール１０４の第１のＢＢＵは、セル１２１内の１以上のＵＥと通信するようにＲＲＨ１２０を制御してよく、ＢＢＵ処理プール１０４の第２のＢＢＵは、セル１２３内の１以上のＵＥと通信するようにＲＲＨ１２２を制御してよく、且つ／又は、ＢＢＵ処理プール１０４の第３のＢＢＵは、セル１２５内の１以上のＵＥと通信するようにＲＲＨ１２４を制御してよい。
【００３５】
一部の実例となる実施形態では、ＢＢＵ処理プール１０２のＢＢＵは、例えば共通公衆無線インタフェース（ＣＰＲＩ）又は任意の他のインタフェースを介して、ＲＲＨ１１０，１１２及び／又は１１４と通信するように構成されてよい。且つ／又は、ＢＢＵ処理プール１０４のＢＢＵは、例えばＣＰＲＩ又は任意の他のインタフェースを介して、ＲＲＨ１２０，１２２及び／又は１２４と通信するように構成されてよい。
【００３６】
一部の実例となる実施形態では、ＢＢＵ処理プールは、例えば、ＢＢＵ処理プール内のＢＢＵの処理能力を集約し、且つ／又は、ＢＢＵ処理プール内のＢＢＵの処理能力を例えばネットワークの負荷に応じて例えばリアルタイムのタスクに割り当てる性能を提供するように構成されてよい。
【００３７】
一部の実例となる実施形態では、ＢＢＵ処理プール１０２及び／又はＢＢＵ処理プール１０４は、インタフェース１０７を介して通信するように構成されてよい。例えば、インタフェース１０７は、ＣＰＲＩ又は任意の他のインタフェースを含んでよい。
【００３８】
図２を参照する。図２には、一部の実例となる実施形態に係るＢＢＵ処理プール２００を概略的に示す。例えば、ＢＢＵ処理プール２００は、ＢＢＵ処理プール１０２（図１）及び／又はＢＢＵ処理プール１０４（図１）の機能を実行してよい。
【００３９】
一部の実例となる実施形態では、ＢＢＵ処理プール２００は、ＢＢＵ処理プール２００とコアネットワークとの間をインタフェースするように構成されるコアネットワーク（ＣＮ）インタフェース２０２を備えてよい。一例では、ＣＮインタフェース２００２は、Ｓ１アプリケーションプロトコル（Ｓ１ＡＰ）又は任意の他のインタフェースを介してＣＮとインタフェースするように構成されるＳ１インタフェースを含んでよい。
【００４０】
一部の実例となる実施形態では、ＢＢＵ処理プール２００は、トランスポートネットワークを介して複数のＲＲＨと通信するトランスポートネットワークインタフェース２１６を備えてよい。例えば、トランスポートネットワークインタフェース２１６は、ＣＰＲＩ又は任意の他のインタフェースを含んでよい。トランスポートネットワークインタフェース２１６は、例えば、光ファイバトランスポートネットワーク及び／又は任意の他のネットワークを介して通信するように構成されてよい。
【００４１】
一部の実例となる実施形態では、ＢＢＵ処理プール２００は、例えば後述するように、例えばＢＢＵ２０６及び／又はＢＢＵ２０８を含む複数のＢＢＵ２０７を管理するように構成されるプールプロセッサ２０４を備えてよい。
【００４２】
一部の実例となる実施形態では、プールプロセッサ２０４は、プールプロセッサ２０４の機能を実行するように構成される回路、ロジック及び／又は処理システム（例えば、プロセッサ回路及び／又はロジック、メモリ回路及び／又はロジック、及び／又は任意の他の回路構成、ロジック及び／又は処理要素）を備えてよい。追加又は代替として、プールプロセッサ２０４の１以上の機能は、例えば後述するように、機械及び／又は１以上のプロセッサによって実行されるロジックによって実現されてよい。一例では、プールプロセッサ２０４は、ＢＢＵ処理プール２００等の装置又はシステムの１以上の要素に、例えば本明細書に記載の１以上の機能を実行させる回路及び／又はロジックを有する１以上のプロセッサを備えてよい。
【００４３】
一部の実例となる実施形態では、プールプロセッサ２０４は、例えば、中央処理装置（ＣＰＵ）、デジタル信号プロセッサ（ＤＳＰ）、１以上のプロセッサコア、単一コアプロセッサ、デュアルコアプロセッサ、マルチコアプロセッサ、マイクロプロセッサ、ホストプロセッサ、サーバプロセッサ、コントローラ、複数のプロセッサ若しくはコントローラ、チップ、マイクロチップ、１以上の回路、回路、ロジックユニット、集積回路（ＩＣ）、特定用途向けＩＣ（Application  Specific  IC，ＡＳＩＣ）並びに／又は任意の他の適切な多目的或いは特定のプロセッサ及び／若しくはコントローラを含んでよい。
【００４４】
一部の実例となる実施形態では、複数のＢＢＵ２０７（例えばＢＢＵ２０６及び／又は２０８）は、ＲＲＨ制御プロトコルに従って複数のＲＲＨを制御するように構成されてよい。
【００４５】
一部の実例となる実施形態では、ＲＲＨ制御プロトコルはＣＰＲＩプロトコルを含んでよい。他の実施形態では、ＲＲＨ制御プロトコルは任意の他のプロトコルを含んでよい。
【００４６】
一例では、ＢＢＵ処理プール２００は、ＢＢＵ処理プール１０２（図１）の機能を実行してよい。この例によれば、ＢＢＵ２０６は、ＲＲＨ１１０，１１２及び／又は１１４（図１）の第１のＲＲＨを制御するように構成されてよく、且つ／又は、ＢＢＵ２０８は、ＲＲＨ１１０，１１２及び／又は１１４（図１）の第２のＲＲＨを制御するように構成されてよい。
【００４７】
別の例では、ＢＢＵ処理プール２００は、ＢＢＵ処理プール１０４（図１）の機能を実行してよい。この例によれば、ＢＢＵ２０６は、ＲＲＨ１２０，１２２及び／又は１２４（図１）の第１のＲＲＨを制御するように構成されてよく、且つ／又は、ＢＢＵ２０８は、ＲＲＨ１２０，１２２及び／又は１２４（図１）の第２のＲＲＨを制御するように構成されてよい。
【００４８】
一部の実例となる実施形態では、複数のＢＢＵ２０７は、複数の仮想化された進化型ノードＢ（ｅＮＢ）を含んでよい。例えば、ＢＢＵ２０８及び／又はＢＢＵ２０６は仮想化ｅＮＢ２１０を含んでよい。
【００４９】
一部の実例となる実施形態では、ＢＢＵ処理プール２００は、ＢＢＵ処理プール２００と１以上の他のＢＢＵ処理プールとの間をインタフェースするＢＢＵプールインタフェース２１８を備えてよい。一例では、ＢＢＵ処理プール１０２（図１）は、ＢＢＵ処理プール１０２（図１）とＢＢＵ処理プール１０４（図１）及び／又は１以上の他のＢＢＵ処理プールとの間をインタフェースするＢＢＵプールインタフェース２１８を備えてよい。別の例では、ＢＢＵ処理プール１０４（図１）は、ＢＢＵ処理プール１０４（図１）とＢＢＵ処理プール１０２（図１）及び／又は１以上の他のＢＢＵ処理プールとの間をインタフェースするＢＢＵプールインタフェース２１８を備えてよい。
【００５０】
一部の実例となる実施形態では、ＢＢＵプールインタフェース２１８は、ＣＰＲＩ及び／又は任意の他のインタフェースを含んでよい。
【００５１】
一部の実例となる実施形態では、ＢＢＵ処理プール２００は、例えば後述するように、ＢＢＵ処理プール２１４のＢＢＵと別のＢＢＵ処理プールのＢＢＵとの間でＲＲＨの制御パスを切り替えるように構成される、少なくとも１つのスイッチング要素（“スイッチ”）２１４を備えてよい。
【００５２】
一部の実例となる実施形態では、少なくとも１つのスイッチング要素２１４は、ＢＢＵ処理プール２００の一部として、例えばＣＰＲＩポートとして、実現されてよい。
【００５３】
一部の実例となる実施形態では、少なくとも１つのスイッチング素子２１４は、例えばＢＢＵ処理プール２００とは別個の、例えばＢＢＵ処理プール２００とＲＲＨとの間の、且つ／又はＲＲＨの一部として、外部要素として実施されてよい。
【００５４】
一部の実例となる実施形態では、ＢＢＵ処理プール２００は、メモリユニット２１２、記憶ユニット２１３及び／又は任意の他のユニット若しくは要素を含んでよい。メモリユニット２１２は、例えばランダムアクセスメモリ（ＲＡＭ）、読出専用メモリ（ＲＯＭ）、ダイナミックＲＡＭ（ＤＲＡＭ）、同期ＤＲＡＭ（ＳＤＲＡＭ）、フラッシュメモリ、揮発性メモリ、不揮発性メモリ、キャッシュメモリ、バッファ、短期記憶ユニット、長期記憶ユニット、又は他の適切なメモリユニットを含む。記憶ユニット２１３は、例えば、ハードディスクドライブ、フロッピーディスクドライブ、コンパクトディスク（ＣＤ）ドライブ、ＣＤ−ＲＯＭドライブ、ＤＶＤドライブ、又は他の適切なリムーバブル或いは非リムーバブル記憶ユニットを含む。メモリユニット２１２及び／又は記憶ユニット２１３は、例えば、ＢＢＵ処理プール２００（例えばプロセッサ２０４）によって処理されたデータを記憶してよい。
【００５５】
図１を再び参照する。一部の実例となる実施形態では、システム１００のＢＢＵ処理プール（例えばＢＢＵ処理プール１０２及び／又は１０４）は、例えば、「ローカライズされたＢＢＵプール」アーキテクチャ（「小規模Ｃ−ＲＡＮ」又は「ローカライズＣ−ＲＡＮ）」とも呼ばれる）又は他の任意のアーキテクチャに従って配備されてよい。
【００５６】
一例では、オペレータは、例えば複数のＲＲＨ、例えばＲＲＨ１１０，１１２，１１４，１２０，１２２及び／又は１２４を制御するために、複数のＢＢＵ処理プール、例えば小または中サイズのＢＢＵプールを配備することができる。小規模Ｃ−ＲＡＮアーキテクチャは、例えば、多数のサイトマシンルームリソースを有するオペレータに適している。小規模Ｃ−ＲＡＮアーキテクチャは、例えば、あるサイズを超えるＣ−ＲＡＮ展開がわずかな性能向上しか有さない場合に、例えば有利であり得る。小規模Ｃ−ＲＡＮアーキテクチャは、他の何らかの理由で利用されてもよい。
【００５７】
他の実施形態では、システム１００のＢＢＵ処理プール、例えば、ＢＢＵ処理プール１０２及び／又は１０４は、他のアーキテクチャに従って配備されてもよい。
【００５８】
一部の実例となる実施形態では、ローカライズＣ−ＲＡＮの配備は、例えば、「オフピーク」時間帯に（例えば、特定の領域の負荷が低いとき）、例えばより大きな地理的領域を制御する集中型ＢＢＵプールであれば可能であるように、特定の領域を制御するローカライズＢＢＵ処理プールの全てのリソースをオフにすることができない場合に、有効であり得る。
【００５９】
一部の実例となる実施形態では、例えば、ローカライズＣ−ＲＡＮの配備が、２以上のＢＢＵ処理プール間でリソースの共有を可能にし且つ／又はサポートするように構成されていない場合、ローカライズＣ−ＲＡＮ配備は不利になり得る。一例では、例えば、ローカライズＣ−ＲＡＮ配備が２以上のＢＢＵ処理プール間でリソースの共有を可能にし且つ／又はサポートするように構成されていない場合、ローカライズＣ−ＲＡＮアーキテクチャは、ロードバランシングの機会を減らすことがある。
【００６０】
一部の実例となる実施形態では、ＢＢＵ処理プール１０２及び／又は１０４は例えば後述するように、ＢＢＵプール間の移行をサポートするように構成されてよい。
【００６１】
一部の実例となる実施形態では、ＢＢＵ処理プール１０２及び／又は１０４は、第１のローカライズＢＢＵプール（例えばＢＢＵ処理プール１０２）から第２の（例えば隣接する）ＢＢＵプール（例えばＢＢＵ処理プール１０４）への、１以上のｅＮＢ（例えば仮想化ｅＮＢ）のライブマイグレーションを可能にするように構成されてよく、且つ／又はその逆のライブマイグレーションを可能にするように構成されてよい。
【００６２】
一部の実例となる実施形態では、ＢＢＵ処理プール１０２及び／又は１０４は、例えば、省エネルギー、負荷分散及び／又は他の目的のために、ＢＢＵプール間の移行をトリガ及び／又は制御するように構成されてよい。
【００６３】
一部の実例となる実施形態では、インタフェース１０７は、例えばＢＢＵ間のプール間移行をサポートするのに十分な、ＢＢＵ処理プール１０２と１０４との間に十分なバックホールリソースを提供するように構成されてよい。
【００６４】
一部の実例となる実施形態では、ＢＢＵプール間の移行は、第１のＢＢＵ処理プール（“ソースＢＢＵ処理プール”）の少なくとも１つのＢＢＵから少なくとも１つの第２のＢＢＵ処理プール（“ターゲットＢＢＵ処理プール”）に、少なくとも１つのＲＲＨの制御を転送することを含んでよい。
【００６５】
一例では、ＢＢＵ処理プール１０２のプールプロセッサ２０４（図２）は、ＢＢＵ処理プール１０２によって制御される複数のＲＲＨ（例えばＲＲＨ１１０，ＲＲＨ１１２及び／又はＲＲＨ１１４）のうち少なくとも１つのＲＲＨの制御を、ＢＢＵ２０７（図２）の少なくとも１つのＢＢＵから少なくとも１つのターゲットＢＢＵ処理プール（例えばＢＢＵ処理プール１０４）に転送するように構成されてよい。
【００６６】
別の例では、ＢＢＵ処理プール１０４のプールプロセッサ２０４（図２）は、ＢＢＵ処理プール１０４によって制御される複数のＲＲＨ（例えばＲＲＨ１２０，ＲＲＨ１２２及び／又はＲＲＨ１２４）のうち少なくとも１つのＲＲＨの制御を、ＢＢＵ２０７（図２）の少なくとも１つのＢＢＵから少なくとも１つのターゲットＢＢＵ処理プール（例えばＢＢＵ処理プール１０２）に転送するように構成されてよい。
【００６７】
一部の実例となる実施形態では、ＢＢＵプール間の移行の手順は、例えばトリガー段階、手順又は操作の一部として、ＢＢＵプール間の移行をトリガすることを含んでよい。
【００６８】
一部の実例となる実施形態では、ＢＢＵプール間の移行は、例えば後述するように、負荷条件、電力条件、省エネルギー条件及び／又は任意の他の条件、基準及び／又はシナリオに基づいてトリガされてよい。
【００６９】
一部の実例となる実施形態では、ＢＢＵプール間の移行は、例えば、ロードバランシング条件又はシナリオに基づいてトリガされてよい。
【００７０】
一部の実例となる実施形態では、ＢＢＵプール間の移行は、ソースＢＢＵプールの負荷及び／又はソースＢＢＵプールのｅＮＢの負荷が高い場合に、例えばロードバランシングの目的で、トリガされてよい。これらの実施形態によれば、ソースＢＢＵプールの負荷及び／又はソースＢＢＵプールのｅＮＢの負荷は、例えば、ＢＢＵプール間の移行後に減少する可能性がある。
【００７１】
一部の実例となる実施形態では、第１のＢＢＵプール（例えばＢＢＵ処理プール１０２）は、ロードバランシングの目的で負荷が高くなるなど負荷が高くなるが、第２のＢＢＵプール（例えば隣接ＢＢＵプール、例えばＢＢＵ処理プール１０４）は、ＢＢＵが十分に活用されないなど、負荷が軽減される。
【００７２】
一部の実例となる実施形態では、ＢＢＵプール間の移行は、例えば後述するように、例えばサービスを中断することなく、１以上の仮想ｅＮＢをソースＢＢＵプールからターゲットＢＢＵプールに移行するために、トリガされてよい。
【００７３】
一部の実例となる実施形態では、例えば後述するように、ソースＢＢＵプールからターゲットＢＢＵプールへのｅＮＢの移行は、例えばソースＢＢＵプール内のＢＢＵ（例えばｅＮＢの機能を実行するＢＢＵ）によって制御されているＲＲＨを介して、ソースＢＢＵプールのＢＢＵからターゲットＢＢＵプールのＢＢＵに制御を転送することによって、実行されてよい。
【００７４】
一部の実例となる実施形態では、ＢＢＵプール間の移行は、例えば、省電力または省エネルギー条件又はシナリオに基づいて、トリガされてよい。
【００７５】
一部の実例となる実施形態では、第１のＢＢＵプール（例えばＢＢＵ処理プール１０２）は、「オフピーク」時及び／又は任意の他の状況若しくはシナリオにおいて、例えば非常に低い負荷などの低減された負荷を経験する可能性がある。
【００７６】
一部の実例となる実施形態では、ＢＢＵプール間の移行は、例えば、ソースＢＢＵプール上で動作する１以上の仮想ｅＮＢ（例えば、ソースＢＢＵプール上で動作する仮想ｅＮＢの一部又は全部）を、例えば仮想ｅＮＢによってサービス提供されるユーザに対するサービスを中断することなく、ターゲットＢＢＵプールに移行するために、トリガされてよい。
【００７７】
一部の実例となる実施形態では、移行される仮想ｅＮＢを実行するソースＢＢＵプール及び／又は１以上のＢＢＵは、例えば、仮想ｅＮＢをターゲットＢＢＵプールに移行する際に、電力がオフにされてよく、又は電力低減モードに切り替えられてよい。
【００７８】
一部の実例となる実施形態では、ＢＢＵプール間の移行は、例えばＢＢＵ処理プール（例えば、ソースＢＢＵ処理プールやターゲットＢＢＵ処理プール）によってトリガされてよい。
【００７９】
一部の実例となる実施形態では、ＢＢＵプール間の移行は、例えばＢＢＵ処理プールのプールプロセッサによってトリガされてよい。
【００８０】
一部の実例となる実施形態では、ＢＢＵプール間の移行は、例えばＢＢＵ処理プールのＢＢＵによってトリガされてよい。
【００８１】
一部の実例となる実施形態では、ＢＢＵプール間の移行は、例えばＢＢＵ処理プールのＢＢＵによって実行されている仮想化ｅＮＢによってトリガされてよい。
【００８２】
一部の実例となる実施形態では、ＢＢＵ処理プール１０２のプールプロセッサ２０４（図２）は、例えば、ＢＢＵ処理プール１０２における１以上のＲＲＨの制御を維持しながら、１以上のＲＲＨの制御の移行をトリガしてよい。
【００８３】
一部の実例となる実施形態では、ＢＢＵ処理プール１０２のプールプロセッサ２０４（図２）は、例えば、例えば、ＢＢＵ処理プール１０２の負荷に基づいて、且つ／又は他の任意の条件及び／又は基準に基づいて、ＢＢＵ処理プール１０２によって制御される複数のＲＲＨ（例えば、ＲＲＨ１１０，ＲＲＨ１１２及び／又はＲＲＨ１１４）のＲＲＨの制御の移行をトリガしてよい。
【００８４】
一部の実例となる実施形態では、ＢＢＵ処理プール１０２のプールプロセッサ２０４（図２）は、例えば、ＢＢＵ処理プール１０２の負荷が第１のＢＢＵ負荷閾値（例えば最大ＢＢＵ負荷閾値）よりも大きい場合に、ＲＲＨの制御の移行をトリガしてよい。
【００８５】
一部の実例となる実施形態では、ＢＢＵ処理プール１０２のプールプロセッサ２０４（図２）は、ＢＢＵ処理プール１０２によって制御される複数のＲＲＨの１以上（例えば、複数のＲＲＨの一部又は全部、例えば、ＲＲＨ１１０，ＲＲＨ１１２及びＲＲＨ１１４の全部）の、少なくとも１つのターゲットＢＢＵ処理プール（例えば、ＢＢＵ処理プール１０４）への移行をトリガしてよい。
【００８６】
一部の実例となる実施形態では、ＢＢＵ処理プール１０２のプールプロセッサ２０４（図２）は、例えば、ＢＢＵ処理プール１０２の負荷が第２のＢＢＵ負荷閾値（例えば最小ＢＢＵ負荷閾値）未満である場合、且つ／又は他のいずれかの条件および／または基準に基づいて、ＢＢＵ処理プール１０２によって制御される複数のＲＲＨの全ての移行をトリガしてよい。
【００８７】
一部の実例となる実施形態では、ＢＢＵ処理プール１０２のプールプロセッサ２０４（図２）は、例えばターゲットＢＢＵ処理プール（例えばＢＢＵ処理プール１０４）の負荷に基づいて、ＢＢＵ処理プール１０２によって制御される複数のＲＲＨ（例えば、ＲＲＨ１１０，ＲＲＨ１１２及び／又はＲＲＨ１１４）のＲＲＨの制御の移行をトリガしてよい。一例では、ＢＢＵ処理プール１０２のプールプロセッサ２０４（図２）は、例えば、ＢＢＵ処理プール１０４の負荷がＢＢＵ処理プール１０２の負荷よりも小さい場合に、ＢＢＵ処理プール１０２によって制御される複数のＲＲＨの制御のＢＢＵ処理プール１０４への移行をトリガしてよい。
【００８８】
一部の実例となる実施形態では、ＢＢＵプール間の移行は、別のネットワークエンティティによってトリガされてよい。
【００８９】
一例では、ＢＢＵプール間の移行は、運用管理（ＯＡＭ）ネットワークエンティティ、ハイパーバイザ、管理エンティティ及び／又は任意の他のネットワークエンティティによってトリガされてよい。
【００９０】
一部の実例となる実施形態では、ＢＢＵプール間の移行は、任意の他のエンティティによってトリガされてよい。
【００９１】
一例では、ＢＢＵプール間の移行は、ハイパーバイザ及び／又は任意の他の要素若しくはエンティティによってトリガされてよい。
【００９２】
一部の実例となる実施形態では、ＢＢＵ処理プール１０２のプールプロセッサ２０４（図２）は、例えばＯＡＭネットワークエンティティからの要求に基づいて、少なくとも１つのＲＲＨ（例えば、ＲＲＨ１１０，１１２及び／又は１１４）の制御をＢＢＵ処理プール１０４に移行するように構成されてよい。
【００９３】
一部の実例となる実施形態では、ＢＢＵプール間の移行の手順は、例えば、ターゲット選択段階、手順又はオペレーションの一部として、ＢＢＵ間移行のためのターゲットを選択することを含んでよい。
【００９４】
一部の実例となる実施形態では、ＢＢＵ間移行のためのターゲットを選択することは、例えば、ＢＢＵプール間の移行のためのターゲットＢＢＵプールを選択することを含んでよい。
【００９５】
一部の実例となる実施形態では、ＢＢＵ間移行のためのターゲットを選択することは、例えば、ターゲットＢＢＵプール内のターゲットＢＢＵ（例えばターゲットｅＮＢ）を選択することを含んでよい。
【００９６】
一部の実例となる実施形態では、ＢＢＵ間移行のターゲットは、ソースＢＢＵ処理プール及び／又はソースｅＮＢによって選択されてよい。
【００９７】
一部の実例となる実施形態では、ＢＢＵ処理プール１０２のプールプロセッサ２０４（図２）は、ターゲットＢＢＵ処理プール及び／又はターゲットｅＮＢを選択するように構成されてよい。
【００９８】
一部の実例となる実施形態では、ＢＢＵ処理プール１０２のプールプロセッサ２０４（図２）は、例えばターゲットＢＢＵ処理プールの負荷及び／又はターゲットｅＮＢの負荷に基づいて、ターゲットＢＢＵ処理プール及び／又はターゲットｅＮＢを選択するように構成されてよい。ＢＢＵ処理プール１０２のプールプロセッサ２０４（図２）は、任意の他の追加或いは代替の基準及び／又は条件に基づいて、ターゲットＢＢＵ処理プール及び／又はターゲットｅＮＢを選択するように構成されてよい。
【００９９】
一部の実例となる実施形態では、ターゲットＢＢＵプール及び／又はターゲットｅＮＢは、別のネットワークエンティティによって選択されてよい。
【０１００】
一例では、ターゲットＢＢＵプール及び／又はターゲットｅＮＢは、ＯＡＭネットワークエンティティ、ハイパーバイザ、管理エンティティ及び／又は任意の他のネットワークエンティティによって選択されてよい。
【０１０１】
一部の実例となる実施形態では、ターゲットＢＢＵプール及び／又はターゲットｅＮＢは、任意の他のエンティティによって選択されてよい。
【０１０２】
一例では、ターゲットＢＢＵプール及び／又はターゲットｅＮＢは、ハイパーバイザ及び／又は任意の他の要素若しくはエンティティによって選択されてよい。
【０１０３】
一部の実例となる実施形態では、ＢＢＵ処理プール１０２のプールプロセッサ２０４（図２）は、ＯＡＭネットワークエンティティから、ターゲットＢＢＵ処理プール及び／又はターゲットｅＮＢの指示を受信するように構成されてよい。
【０１０４】
一部の実例となる実施形態では、ターゲットＢＢＵプール及び／又はターゲットＢＢＵプールのターゲットｅＮＢは、例えばソースＢＢＵプール／ｅＮＢ又はＯＡＭによって、例えばターゲットＢＢＵプール及び／又はターゲットｅＮＢの負荷に対応する負荷レポートに基づいて、選択されてよい。
【０１０５】
一部の実例となる実施形態では、１以上の潜在的な移行先候補（例えば１以上の潜在的なＢＢＵ処理プール及び／又は１以上の潜在的なｅＮＢ）が、半静的にプリプロビジョニングされてよい。
【０１０６】
一部の実例となる実施形態では、ＢＢＵプール間の移行の手順は、例えば、準備段階、手順又は操作の一部として、ＢＢＵ間移行のためのターゲットＢＢＵを準備することを含んでよい。
【０１０７】
一部の実例となる実施形態では、ＢＢＵ間移行のためのターゲットＢＢＵを準備することは、例えば後述するように、ターゲットＢＢＵに、ＢＢＵ間移行に対応する情報を信号伝達することを含んでよい。
【０１０８】
一部の実例となる実施形態では、ソースｅＮＢは、例えば、ソースｅＮＢによって制御されるセルに関する情報及び／又はソースｅＮＢによって使用されている１以上のＲＲＨに関する情報を含むメッセージ（例えば移行準備メッセージ）を、ターゲットＢＢＵ処理プールのターゲットｅＮＢに送信してよい。
【０１０９】
一部の実例となる実施形態では、ソースＢＢＵプールとターゲットＢＢＵプールとの間のシグナリングは、例えば後述するように、拡張Ｘ２アプリケーションプロトコル（Ｘ２ＡＰ）又は任意の他のプロトコルを用いて実行されてよい。
【０１１０】
一部の実例となる実施形態では、ソースＢＢＵプール又はソースｅＮＢは、例えば後述するように、例えば拡張Ｘ２ＡＰ又は任意の他のプロトコルを用いて、移行準備メッセージを送信してよい。
【０１１１】
一部の実例となる実施形態では、拡張Ｘ２ＡＰプロトコルは、２つのｅＮＢ（例えば、ソースｅＮＢとターゲットｅＮＢ）との間で、メッセージ（例えば移行準備メッセージ）を交換するように構成されてよい。
【０１１２】
一部の実例となる実施形態では、拡張Ｘ２ＡＰプロトコルを用いてソースｅＮＢとターゲットｅＮＢとの間で移行準備メッセージをシグナリングすることにより、例えば、ソースｅＮＢからターゲットｅＮＢにセルを移行することができる。
【０１１３】
一部の実例となる実施形態では、ソースＢＢＵプールとターゲットＢＢＵプールとの間のシグナリングのために、別のプロトコル（例えば専用プロトコル）が用いられてよい。
【０１１４】
一部の実例となる実施形態では、専用プロトコルは、１以上の他の要素（例えば、移行マネージャ、ハイパーバイザ等）によってメッセージ（例えば移行準備メッセージ）を交換するように構成されてよい。これらの実施形態に従って、ｅＮＢは、ソースＢＢＵ処理プールからターゲットＢＢＵ処理プールに移行されてよい。
【０１１５】
一部の実例となる実施形態では、移行準備メッセージは、ソースｅＮＢの状態を複製ために、セル固有情報、接続されたＵＥ情報、ＬＴＥプロトコルスタック状態情報、Ｓ１アプリケーションプロトコル（Ｓ１ＡＰ）状態情報、及び／又は、ターゲットｅＮＢによって用いられる他の任意の情報を搬送してよい。
【０１１６】
一部の実例となる実施形態では、ソースＢＢＵ処理プール１０２（例えばＢＢＵ処理プール１０２）のプールプロセッサ２０４（図２）は、ソースＢＢＵ処理プールに、ターゲットＢＢＵ処理プール（例えばＢＢＵ処理プール１０４）に要求メッセージを送信させることができる。
【０１１７】
一部の実例となる実施形態では、要求メッセージは、例えば、少なくとも、ターゲットＢＢＵ処理プールに転送されるＢＢＵによって制御されるセルのセル情報、セル内のＵＥのユーザ機器（ＵＥ）情報及び／又は任意の他の情報を含んでよい。
【０１１８】
一部の実例となる実施形態では、ソースＢＢＵ処理プールは、例えば後述するように、ｅＮＢ移行要求メッセージ等のＸ２アプリケーションプロトコルメッセージで要求メッセージを送信してよい。
【０１１９】
一部の実例となる実施形態では、ターゲットＢＢＵ処理プール（例えばＢＢＵ処理プール１０４）のプールプロセッサ２０４（図２）は、要求メッセージを受信してよく、ターゲットＢＢＵ処理プールに、ソースＢＢＵ処理プールから転送されるＲＲＨを制御させることができる。
【０１２０】
一部の実例となる実施形態では、ＢＢＵ処理プール１０４のプールプロセッサ２０４（図２）は、ソースＢＢＵプール（例えばＢＢＵ処理プール１０２）から、少なくとも１つのＲＲＨの制御をソースＢＢＵプールからＢＢＵ処理プール１０４に転送する要求を受信するように構成されてよい。これらの実施形態によれば、ＢＢＵ処理プール１０４のプールプロセッサ２０４（図２）は、ＢＢＵ処理プール１０４のＢＢＵに、ソースＢＢＵ処理プールから転送されるＲＲＨを制御させるように構成されてよい。
【０１２１】
一部の実例となる実施形態では、ＢＢＵ処理プール１０４のプールプロセッサ２０４（図２）は、例えば上述したように、セル固有情報、ＬＴＥプロトコルスタックステータス情報、Ｓ１アプリケーションプロトコル（ＳＩＡＰ）ステータス情報及び／又は任意の他の情報を含む要求を受信するように構成されてよい。ＢＢＵ処理プール１０４のプールプロセッサ２０４（図２）は、例えば要求からの情報を用いて、例えばＢＢＵ処理プール１０４で、ソースｅＮＢの状態を複製するように構成されてよい。
【０１２２】
一部の実例となる実施形態では、ターゲットＢＢＵ処理プール（例えばＢＢＵ処理プール１０４）のプールプロセッサ２０４（図２）は、例えば、ターゲットＢＢＵ処理プールの制御に移行されている１以上のＲＲＨ上の制御を仮定するために、１以上の新しい仮想ｅＮＢをインスタンス化するように構成されてよい。一例では、ＢＢＵ処理プール１０４のプールプロセッサ２０４（図２）は、例えば、ＢＢＵ処理プール１０４に移行されているそれぞれのソースｅＮＢに関して、仮想化ｅＮＢをインスタンス化するように構成されてよい。
【０１２３】
図３を参照する。図３は、一部の実例となる実施形態に係る、第１のｅＮＢ３０２と第２のｅＮＢ３０４との間のメッセージ交換を概略的に示す。例えば、ｅＮＢ３０２はソースｅＮＢの機能を実行してよく、且つ／又は、ｅＮＢ３０２はターゲットｅＮＢの機能を実行してよい。例えば、ｅＮＢ３０２は、ＢＢＵ処理プール１０２（図１）のＢＢＵによって実行されているソースｅＮＢの機能を実行してよく、且つ／又は、ｅＮＢ３０２は、処理プール１０４（図１）のＢＢＵによって実行されているターゲットｅＮＢの機能を実行してよい。
【０１２４】
一部の実例となる実施形態では、ｅＮＢ３０２は、ｅＮＢ３０４にｅＮＢ移行要求３０６を送信してよい。
【０１２５】
一部の実例となる実施形態では、ｅＮＢ移行要求３０６は、例えば上述したように、例えばｅＮＢ及び／又はセルの、ソースｅＮＢ（例えばｅＮＢ３０２）からターゲットｅＮＢ（例えばｅＮＢ３０４）又はターゲットＢＢＵ処理プールへの移行を実行するために必要になり得るｅＮＢ移行準備手順（例えば全てのコンテキストを転送する）の一部として、通信されてもよい
一部の実例となる実施形態では、ｅＮＢ移行要求３０６は、例えば、ｅＮＢ情報、セル情報、ＵＥコンテキスト及び／又は任意の他の情報を含んでよい。
【０１２６】
一部の実例となる実施形態では、ｅＮＢ情報は、例えば、ｅＮＢ名、ｅＮＢ識別（ＩＤ）及び／又はソースｅＮＢに関する任意の他の情報を含んでよい。
【０１２７】
一部の実例となる実施形態では、セル情報は、例えば、システム情報ブロック（ＳＩＢ）を用いてブロードキャストされる情報（例えば一部又は全部の情報）、例えばセルＩＤ、公衆陸上移動ネットワーク（ＰＬＭＮ）アイデンティティ、周波数等を含んでよい。
【０１２８】
一部の実例となる実施形態では、ＵＥコンテキストは、接続されたＵＥに関する情報（例えば、ハンドオーバの際にターゲットｅＮＢに渡され得る情報（“ハンドオーバ情報”）の少なくとも一部）などの情報（例えば一部又は全部の情報）を含んでよい。ｅＮＢ移行要求３０６に含まれるＵＥコンテキスト情報は、例えば、１つのｅＮＢから別のｅＮＢへのＵＥのハンドオーバ中に、単一のＵＥに関する情報のみが渡されるのに対し、全てのＵＥについてのハンドオーバ情報を含んでよい。
【０１２９】
一部の実例となる実施形態では、ｅＮＢ移行要求３０６は、例えば、例えば以下のような１以上のフィールドを含んでよい。
【０１３０】
【表１】
0006312869.tif 000002
方向：ｅＮＢ→ｅＮＢ
一部の実例となる実施形態では、ｅＮＢ３０４は、ｅＮＢ移行要求メッセージ３０６を確認するために、確認応答メッセージ（例えばｅＮＢ移行確認応答３０８）をｅＮＢ３０２に送信してよい。
【０１３１】
図１を再び参照する。一部の実例となる実施形態では、ＢＢＵプール間の移行の手順は、例えば移行段階、手順又は操作の一部として、ソースＢＢＵ処理プール及び／又はソースｅＮＢからターゲットＢＢＵ処理プール及び／又はターゲットｅＮＢに制御を切り替えることを含んでよい。
【０１３２】
一部の実例となる実施形態では、ソースＢＢＵ処理プール及び／又はソースｅＮＢからターゲットＢＢＵ処理プール及び／又はターゲットｅＮＢに制御を切り替えることは、例えば、制御インタフェース（例えばＣＰＲＩインタフェース又は任意の他のインタフェース）を、ソースＢＢＵ処理プール及び／又はソースｅＮＢからターゲットＢＢＵ処理プール及び／又はターゲットｅＮＢに切り替えることを含んでよい。
【０１３３】
一部の実例となる実施形態では、ソースＢＢＵ処理プール及び／又はソースｅＮＢからターゲットＢＢＵ処理プール及び／又はターゲットｅＮＢに制御を切り替えることは、例えば、Ｓ１インタフェースを、Ｓ１インタフェース  ソースＢＢＵ処理プール及び／又はソースｅＮＢからターゲットＢＢＵ処理プール及び／又はターゲットｅＮＢに切り替えることを含んでよい。
【０１３４】
一部の実例となる実施形態では、ソースＢＢＵ処理プール（例えばＢＢＵ処理プール１０２（図１））のプールプロセッサ２０４（図２）は、ＲＲＨの制御パスをターゲットＢＢＵ処理プール（例えばＢＢＵ処理プール１０４）に切り替えるために、ソースＢＢＵ処理プールとターゲットＢＢＵ処理プールに移行されているＲＲＨとの間でスイッチング要素（例えば、スイッチ２１４（図２））をトリガするように構成されてよい。
【０１３５】
一部の実例となる実施形態では、ソースＢＢＵ処理プールからターゲットＢＢＵ処理プールへのＲＲＨの制御を切り替えるためのシグナリングは、例えば後述するように、例えばネットワークトポロジーに基づいてよい。
【０１３６】
一部の実例となる実施形態では、スイッチ２１４（図２）は例えばＩ／Ｑスイッチを含んでよい。Ｉ／Ｑスイッチは、制御パス（例えば、ＣＰＲＩパスその他のＢＢＵとＲＲＨとの間で用いられる制御プロトコルパス）を、ソースＢＢＵ処理プール及び／又はソースｅＮＢからターゲットＢＢＵ処理プール及び／又はｅＮＢに切り替えるように構成されてよい。
【０１３７】
図４を参照する。図４は、一部の実例となる実施形態に係る、ＢＢＵ処理プール４０２とＢＢＵ処理プール４０４との間でＲＲＨ４０６を切り替えるためのスイッチングトポロジ４００を、概略的に示す。例えば、スイッチングトポロジ４００は、例えばＢＢＵ処理プール１０２（図１）とＢＢＵ処理プール１０４（図１）との間で、例えばＲＲＨ１１０（図１）、ＲＲＨ１１２（図１）及び／又はＲＲＨ１１４（図１）に対する制御を切り替えるために、且つ／又は、例えばＢＢＵ処理プール１０２（図１）とＢＢＵ処理プール１０４（図１）との間で、例えばＲＲＨ１２０（図１）、ＲＲＨ１２２（図１）及び／又はＲＲＨ１２４（図１）に対する制御を切り替えるために、システム１００（図１）によって実施されてよい。
【０１３８】
一部の実例となる実施形態では、図４に示されるように、スイッチ４１４は、ＲＲＨ４０６及び／又はＲＲＨ４０６に近接して配置されてよい。
【０１３９】
一部の実例となる実施形態では、図３に示されるように、ＢＢＵ処理プール４０２は、例えばトランスポートネットワークを介して（例えばＣＰＲＩ４１３を介して）、スイッチ４１４を制御するように構成されてよい。
【０１４０】
図５を参照する。図５は、一部の実例となる実施形態に係る、ＢＢＵ処理プール５０２とＢＢＵ処理プール５０４との間でＲＲＨ５０６を切り替えるためのスイッチングトポロジ５００を、概略的に示す。例えば、スイッチングトポロジ４００は、例えばＢＢＵ処理プール１０２（図１）とＢＢＵ処理プール１０４（図１）との間で、例えばＲＲＨ１１０（図１）、ＲＲＨ１１２（図１）及び／又はＲＲＨ１１４（図１）に対する制御を切り替えるために、且つ／又は、例えばＢＢＵ処理プール１０２（図１）とＢＢＵ処理プール１０４（図１）との間で、例えばＲＲＨ１２０（図１）、ＲＲＨ１２２（図１）及び／又はＲＲＨ１２４（図１）に対する制御を切り替えるために、システム１００（図１）によって実施されてよい。
【０１４１】
一部の実例となる実施形態では、図５に示されるように、スイッチ５１４は、ＢＢＵ処理プール５０２内及び／又はＢＢＵ処理プール４０２に近接して配置されてよい。
【０１４２】
一部の実例となる実施形態では、ＢＢＵ処理プール４０２（例えばＢＢＵ処理プール４０２の無線機器制御（ＲＥＣ））は、例えば、別のＢＢＵ処理プール（例えばＢＢＵ処理プール４０４）がＲＥＣを介してＲＲＨ４０４に接続できるように、例えばマスターＣＰＲＩポートに加えて、１以上のスレーブＣＰＲＩポートをサポートしてよい。
【０１４３】
図１を再び参照する。一部の実例となる実施形態では、ＢＢＵプール間の移行の手順は、例えば完了段階、手順又は操作の一部として、例えば、ソースＢＢＵ処理プール及び／又はソースｅＮＢがターゲットＢＢＵ処理プール及び／又はターゲットｅＮＢに、移行が完了したことを通知することを含んでよい
一部の実例となる実施形態では、ソースＢＢＵ処理プール（例えばＢＢＵ処理プール１０２）のプールプロセッサ２０４（図１）は、ターゲットＢＢＵ処理プール（例えばＢＢＵ処理プール１０４）に、少なくとも１つのＲＨＨ（例えば、ＲＲＲＨ１１０，ＲＲＨ１１２及び／又はＲＲＨ１１４）の制御の移行が完了したという通知を送信するように構成されてよい。
【０１４４】
一部の実例となる実施形態では、ソースｅＮＢは、ターゲットｅＮＢにメッセージ（例えばＸ２ＡＰシグナリングメッセージ）を送信して、ターゲットｅＮＢに移行が成功したことを通知してよい。
【０１４５】
一部の実例となる実施形態では、ソースＢＢＵ処理プール及び／又はソースｅＮＢは、例えば移行中に、ソースＢＢＵ処理プール及び／又はソースｅＮＢのダウンリンクパケットをバッファするように構成されてよい。
【０１４６】
一部の実例となる実施形態では、ソースＢＢＵ処理プール及び／又はソースｅＮＢは、ターゲットＢＢＵ処理プール及び／又はターゲットｅＮＢに、ソースＢＢＵ処理プール及び／又はソースｅＮＢにおいてバッファされ得るバッファされたダウンリンクパケット（例えば、全てのバッファされたダウンリンクパケット）を転送するように構成されてよい。例えば、ソースＢＢＵ処理プール及び／又はソースｅＮＢは、例えば移行の完了が成功したときに、ターゲットＢＢＵ処理プール及び／又はターゲットｅＮＢに、バッファされたダウンリンクパケットを転送してよい。
【０１４７】
図６は、一部の実例となる実施形態に係る、ＢＢＵ処理プール間でＲＲＨを移行する方法の概略フローチャートである。例えば、図６の方法の工程の１以上は、無線通信システム（例えば、システム１００（図１））、ＢＢＵ処理プール（例えば、ＢＢＵ処理プール１０２（図１）、ＢＢＵ処理プール１０４（図１）及び／又はＢＢＵ処理プール２００（図２））及び／又はプールプロセッサ（例えばプールプロセッサ２０４（図２））によって実行されてよい。
【０１４８】
ブロック６０２に示されるように、方法は、複数のＢＢＵを管理するステップであって、複数のＢＢＵは、トランスポートネットワークを介して複数の遠隔無線ヘッド（ＲＲＨ）を制御するように構成される、ステップ、を含んでよい。例えば、例えば上述したように、ＢＢＵ処理プール１０２（図１）は、複数のＲＲＨ（例えば、ＲＲＨ１１０，１１２及び／又は１１４（図１））を制御するように構成される複数のＢＢＵ（例えばＢＢＵ２０７（図２））を管理してよく、且つ／又は、ＢＢＵ処理プール１０４（図１）は、複数のＲＲＨ（例えば、ＲＲＨ１２０，１２２及び／又は１２４（図１））を制御するように構成される複数のＢＢＵ（例えばＢＢＵ２０７（図２））を管理してよい。
【０１４９】
ブロック６０４に示されるように、方法は、第１のＢＢＵ処理プールと第２のＢＢＵ処理プールとの間で、少なくとも１つのＲＲＨの制御を移行するステップ、を含んでよい。例えば、例えば上述したように、ＢＢＵ処理プール１０２（図１）は、ＲＨＨ１１０，１１２及び／又は１１４（図１）の少なくとも１つの制御をＢＢＵ処理プール１０４（図１）に移行してよく、且つ／又は、ＢＢＵ処理プール１０４（図１）は、ＲＲＨ１２０，１２２及び／又は１２４（図１）の少なくとも１つの制御をＢＢＵ処理プール１０２（図１）に移行してよい。
【０１５０】
ブロック６０６に示されるように、方法は、ソースＢＢＵ処理プールからターゲットＢＢＵ処理プールに要求メッセージを通信するステップであって、要求メッセージは、ＢＢＵによって制御されるセルのセル情報と、セル内のＵＥのユーザ機器（ＵＥ）情報とを含む、ステップ、を含んでよい。例えば、例えば上述したように、ＢＢＵ処理プール１０２（図１）は、例えば１以上のＲＲＨのＢＢＵ処理プール１０４（図１）への移行を要求するために、ＢＢＵ処理プール１０４（図１）に要求メッセージを送信してよく、且つ／又は、ＢＢＵ処理プール１０４（図１）は、例えば１以上のＲＲＨのＢＢＵ処理プール１０２（図１）への移行を要求するために、ＢＢＵ処理プール１０２（図１）に要求メッセージを送信してよい。
【０１５１】
ブロック６０８に示されるように、方法は、例えば要求メッセージに基づいて、ソースＢＢＵ処理プールからターゲットＢＢＵ処理プールにＲＲＨの制御を移行するステップ、を含んでよい。例えば、例えば上述したように、ＢＢＵ処理プール１０２（図１）は、１以上のＲＲＨをＢＢＵ処理プール１０４（図１）に移行してよく、且つ／又は、ＢＢＵ処理プール１０４（図１）は、１以上のＲＲＨをＢＢＵ処理プール１０２（図１）に移行してよい。
【０１５２】
図７を参照する。図７は、一部の実例となる実施形態に係る製品７００を概略的に示す。製品７００は、ロジック７０４を記憶する非一時的機械可読記憶媒体７０２を備えてよく、例えば、ＢＢＵ処理プール（例えば、ＢＢＵ処理プール１０２（図１）、ＢＢＵ処理プール１０４（図１）及び／又はＢＢＵ処理プール２００（図２））及び／又はプールプロセッサ（例えばプールプロセッサ２０４（図２））の機能の少なくとも一部を実行するために用いられてよく、且つ／又は、図６の方法の１以上の工程を実行するために用いられてよい。「非一時的機械可読記憶媒体」という語句は、一時的な伝播信号であるという唯一の例外を除いて、全てのコンピュータ可読媒体を含むように意図される。
【０１５３】
一部の実例となる実施形態では、製品７００及び／又は機械可読記憶媒体７０２は、データを記憶することができる１以上のタイプのコンピュータ可読記憶媒体を含んでよく、例えば、揮発性メモリ、不揮発性メモリ、リムーバブル又は非リムーバブルメモリ、消去可能又は消去不能メモリ、書込可能メモリ又は再書込可能メモリ等が含まれる。例えば、機械可読記憶媒体７０２は、ＲＡＭ、ＤＲＡＭ、ダブルデータレートＤＲＡＭ（ＤＤＲ−ＤＲＡＭ）、ＳＤＲＡＭ、スタティックＲＡＭ（ＳＲＡＭ）、ＲＯＭ、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、コンパクトディスクＲＯＭ（ＣＤ−ＲＯＭ）、コンパクトディスクレコーダブル（ＣＤ−Ｒ）、コンパクトディスクリライタブル（ＣＤ−ＲＷ）、フラッシュメモリ（ＮＯＲ又はＮＡＮＤフラッシュメモリ等）、コンテンツアドレス可能メモリ（ＣＡＭ）、ポリマーメモリ、相変化メモリ、強誘電体メモリ、シリコン酸化物−窒化酸化物−シリコン（ＳＯＮＯＳ）メモリ、ディスク、フロッピーディスク、ハードドライブ、光ディスク、磁気ディスク、カード、磁気カード、光カード、テープ、カセット等を含んでよい。コンピュータ可読記憶媒体は、通信リンク（例えばモデム、無線装置、ネットワーク接続）を介して搬送波又は他の伝播媒体に具現化されたデータ信号によって搬送されるコンピュータプログラムを、遠隔コンピュータから要求コンピュータにダウンロード又は転送することに関与する、任意の適切な媒体を含んでよい。
【０１５４】
一部の実例となる実施形態では、ロジック７０４は、機械によって実行された場合、本明細書に記載の方法、プロセス及び／又は動作を機械に実行させる命令、データ及び／又はコードを含んでよい。機械は、例えば、任意の適切な処理プラットフォーム、コンピューティングプラットフォーム、コンピューティングデバイス、処理デバイス、コンピューティングシステム、処理システム、コンピュータ、プロセッサ等を含んでよく、ハードウェア、ソフトウェア、ファームウェア等の任意の適切な組合わせを用いて実現されてよい。
【０１５５】
一部の実例となる実施形態では、ロジック７０４は、ソフトウェア、ソフトウェアモジュール、アプリケーション、プログラム、サブルーチン、命令、命令セット、計算コード、ワード、値、シンボル等を含むか、或いはそれらとして実現されてよい。命令は、ソースコード、コンパイルされたコード、解釈されたコード、実行可能なコード、静的なコード、動的なコード等の任意の適切なタイプのコードを含んでよい。命令は、所定の機能を実行するようにプロセッサに命令するために、所定のコンピュータ言語、方式又は構文に従って実現されてよい。命令は、Ｃ、Ｃ＋＋、Ｊａｖａ(登録商標)、ＢＡＳＩＣ、Ｍａｔｌａｂ、Ｐａｓｃａｌ、Visual  BASIC、アセンブリ言語、マシンコード等の、任意の適切な高レベル、低レベル、オブジェクト指向、ビジュアル、コンパイル及び／又はインタプリタ型のプログラミング言語を用いて実現されてよい。
【０１５６】
実施例
以下の実施例は、更なる実施形態に関する。
【０１５７】
実施例１は、ベースバンドユニット（ＢＢＵ）処理プールを含む。本ＢＢＵ処理プールは、トランスポートネットワークを介して複数の遠隔無線ヘッド（ＲＲＨ）と通信するトランスポートネットワークインタフェースと、複数のＢＢＵを管理するプールプロセッサであって、複数のＢＢＵは、ＲＲＨ制御プロトコルに従って複数のＲＲＨを制御するように構成される、プールプロセッサと、を備える。プールプロセッサは、複数のＲＲＨのうち少なくとも１つのＲＲＨの制御を、複数のＢＢＵの少なくとも１つのＢＢＵから少なくとも１つのターゲットＢＢＵ処理プールに移行するように構成される。
【０１５８】
実施例２は実施例１の主題を含む。任意に、プールプロセッサは、ＢＢＵ処理プールに、ターゲットＢＢＵ処理プールに向けて要求メッセージを送信させる。要求メッセージは、ＢＢＵによって制御されるセルのセル情報と、セル内のＵＥのユーザ機器（ＵＥ）情報とを含む。
【０１５９】
実施例３は実施例２の主題を含む。任意に、要求メッセージはＸ２アプリケーションプロトコルメッセージを含む。
【０１６０】
実施例４は実施例１又は２の主題を含む。任意に、プールプロセッサは、ＢＢＵ処理プールとＲＲＨとの間のスイッチング要素をトリガして、ＲＲＨの制御パスをターゲットＢＢＵ処理プールに切り替える。
【０１６１】
実施例５は、実施例１〜４のいずれか１つの主題を含む。任意に、プールプロセッサは、ＢＢＵ処理プールの負荷に基づいて、ＲＲＨの制御の移行をトリガする。
【０１６２】
実施例６は実施例５の主題を含む。任意に、プールプロセッサは、ＢＢＵ処理プールの負荷がＢＢＵ負荷閾値よりも大きいとき、ＲＲＨの制御の移行をトリガする。
【０１６３】
実施例７は、実施例１〜６のいずれか１つの主題を含む。任意に、プールプロセッサは、複数のＲＲＨの全ての制御を少なくとも１つのターゲットＢＢＵ処理プールに移行する。
【０１６４】
実施例８は実施例７の主題を含む。任意に、プールプロセッサは、ＢＢＵ処理プールの負荷がＢＢＵ負荷閾値未満であるとき、複数のＲＲＨの全ての制御の移行をトリガする。
【０１６５】
実施例９は、実施例１〜８のいずれか１つの主題を含む。任意に、プールプロセッサは、ターゲットＢＢＵ処理プールに、ＢＢＵのバッファされたダウンリンクパケットを転送する。
【０１６６】
実施例１０は、実施例１〜９のいずれか１つの主題を含む。任意に、プールプロセッサは、ターゲットＢＢＵ処理プールに、移行が完了したという通知を送信する。
【０１６７】
実施例１１は、実施例１〜１０のいずれか１つの主題を含む。任意に、プールプロセッサは、運用管理（ＯＡＭ）ネットワークエンティティからの要求に基づいて、ＲＲＨの制御を移行する。
【０１６８】
実施例１２は、実施例１〜１１のいずれか１つの主題を含む。任意に、プールプロセッサは、ターゲットＢＢＵ処理プールを選択する。
【０１６９】
実施例１３は実施例１２の主題を含む。任意に、プールプロセッサは、ターゲットＢＢＵ処理プールの負荷に基づいて、ターゲットＢＢＵ処理プールを選択する。
【０１７０】
実施例１４は、実施例１〜１３のいずれか１つの主題を含む。任意に、プールプロセッサは、ターゲットＢＢＵ処理プールの負荷に基づいて、ＲＲＨの制御の移行をトリガする。
【０１７１】
実施例１５は、実施例１〜１４のいずれか１つの主題を含む。任意に、プールプロセッサは、運用管理（ＯＡＭ）ネットワークエンティティから、ターゲットＢＢＵ処理プールの指示を受信する。
【０１７２】
実施例１６は、実施例１〜１５のいずれか１つの主題を含む。任意に、複数のＢＢＵは、複数の仮想化された進化型ノードＢ（ｅＮＢ）を含む。
【０１７３】
実施例１７は、実施例１〜１６のいずれか１つの主題を含む。任意に、ＲＲＨ制御プロトコルは、共通公衆無線インタフェース（ＣＰＲＩ）プロトコルを含む。
【０１７４】
実施例１８はベースバンドユニット（ＢＢＵ）処理プールを含む。本ＢＢＵ処理プールは、トランスポートネットワークを介して複数の遠隔無線ヘッド（ＲＲＨ）と通信するトランスポートネットワークインタフェースと、複数のＢＢＵを管理するプールプロセッサであって、複数のＢＢＵは、ＲＲＨ制御プロトコルに従って複数のＲＲＨを制御するように構成される、プールプロセッサと、を備える。プールプロセッサは、ソースＢＢＵ処理プールから、少なくとも１つのＲＲＨの制御をソースＢＢＵ処理プールからＢＢＵ処理プールに移行する要求を受信し、ＢＢＵ処理プールのＢＢＵにＲＲＨを制御させるように構成される。
【０１７５】
実施例１９は実施例１８の主題を含む。任意に、プールプロセッサは、ソースＢＢＵ処理プールから要求メッセージを受信する。要求メッセージは、ソースＢＢＵ処理プールによって制御されるセルのセル情報と、セル内のＵＥのユーザ機器（ＵＥ）情報とを含む。
【０１７６】
実施例２０は実施例１９の主題を含む。任意に、プールプロセッサは、ＢＢＵ処理プールのＢＢＵに、セル情報及びＵＥ情報に従ってＲＲＨを制御させる。
【０１７７】
実施例２１は、実施例１９又は２０の主題を含む。任意に、要求メッセージはＸ２アプリケーションプロトコルメッセージを含む。
【０１７８】
実施例２２は、実施例１８〜２１のいずれか１つの主題を含む。任意に、プールプロセッサは、ソースＢＢＵ処理プールから、ＲＲＨに対するバッファされたダウンリンクパケットを受信する。
【０１７９】
実施例２３は、実施例１８〜２２のいずれか１つの主題を含む。任意に、プールプロセッサは、ソースＢＢＵ処理プールから、移行が完了したという通知を受信する。
【０１８０】
実施例２４は、実施例１８〜２３のいずれか１つの主題を含む。任意に、複数のＢＢＵは、複数の仮想化された進化型ノードＢ（ｅＮＢ）を含む。
【０１８１】
実施例２５は、実施例１８〜２４のいずれか１つの主題を含む。任意に、ＲＲＨ制御プロトコルは、共通公衆無線インタフェース（ＣＰＲＩ）プロトコルを含む。
【０１８２】
実施例２６は、第１のベースバンドユニット（ＢＢＵ）処理プールによって実行される方法を含む。本方法は、複数のＢＢＵを管理するステップであって、複数のＢＢＵは、トランスポートネットワークを介して複数の遠隔無線ヘッド（ＲＲＨ）を制御するように構成される、ステップと、第１のＢＢＵ処理プールと第２のＢＢＵ処理プールとの間で、少なくとも１つのＲＲＨの制御を移行するステップと、を含む。
【０１８３】
実施例２７は実施例２６の主題を含む。任意に、第１のＢＢＵ処理プールと第２のＢＢＵ処理プールとの間で、要求メッセージを通信するステップを含む。要求メッセージは、ソースＢＢＵ処理プールからターゲットＢＢＵ処理プールへのメッセージを含む。要求メッセージは、ソースＢＢＵ処理プールによって制御されるセルのセル情報と、セル内のＵＥのユーザ機器（ＵＥ）情報とを含む。
【０１８４】
実施例２８は実施例２７の主題を含む。任意に、要求メッセージはＸ２アプリケーションプロトコルメッセージを含む。
【０１８５】
実施例２９は、実施例２６〜２８のいずれか１つの主題を含む。任意に、少なくとも１つのＲＲＨの制御を、第１のＢＢＵ処理プールから第２のＢＢＵ処理プールに移行するステップを含む。
【０１８６】
実施例３０は実施例２９の主題を含む。任意に、第１のＢＢＵ処理プールとＲＲＨとの間のスイッチング要素をトリガして、ＲＲＨの制御パスを第２のＢＢＵ処理プールに切り替えるステップを含む。
【０１８７】
実施例３１は、実施例２９又は３０の主題を含む。任意に、第１のＢＢＵ処理プールの負荷に基づいて、ＲＲＨの制御の移行をトリガするステップを含む。
【０１８８】
実施例３２は実施例３１の主題を含む。任意に、第１のＢＢＵ処理プールの負荷がＢＢＵ負荷閾値よりも大きいとき、ＲＲＨの制御の移行をトリガするステップを含む。
【０１８９】
実施例３３は、実施例２９〜３２のいずれか１つの主題を含む。任意に、複数のＲＲＨの全ての制御を第２のＢＢＵ処理プールに移行するステップを含む。
【０１９０】
実施例３４は実施例３３の主題を含む。任意に、第１のＢＢＵ処理プールの負荷がＢＢＵ負荷閾値未満であるとき、複数のＲＲＨの全ての制御の移行をトリガするステップを含む。
【０１９１】
実施例３５は、実施例２９〜３４のいずれか１つの主題を含む。任意に、第２のＢＢＵ処理プールに、ＲＲＨに対するバッファされたダウンリンクパケットを転送するステップを含む。
【０１９２】
実施例３６は、実施例２９〜３５のいずれか１つの主題を含む。任意に、第２のＢＢＵ処理プールに、移行が完了したという通知を送信するステップを含む。
【０１９３】
実施例３７は、実施例２９〜３６のいずれか１つの主題を含む。任意に、運用管理（ＯＡＭ）ネットワークエンティティからの要求に基づいて、ＲＲＨの制御を第２のＢＢＵ処理プールに移行するステップを含む。
【０１９４】
実施例３８は、実施例２９〜３７のいずれか１つの主題を含む。任意に、第２のＢＢＵ処理プールを選択するステップを含む。
【０１９５】
実施例３９は実施例３８の主題を含む。任意に、第２のＢＢＵ処理プールの負荷に基づいて、第２のＢＢＵ処理プールを選択するステップを含む。
【０１９６】
実施例４０は、実施例２９〜３９のいずれか１つの主題を含む。任意に、第２のＢＢＵ処理プールの負荷に基づいて、ＲＲＨの制御の第２のＢＢＵ処理プールへの移行をトリガするステップを含む。
【０１９７】
実施例４１は、実施例２９〜４０のいずれか１つの主題を含む。任意に、運用管理（ＯＡＭ）ネットワークエンティティから、第２のＢＢＵ処理プールの指示を受信するステップを含む。
【０１９８】
実施例４２は、実施例２６〜２８のいずれか１つの主題を含む。任意に、少なくとも１つのＲＲＨの制御を、第２のＢＢＵ処理プールから第１のＢＢＵ処理プールに移行するステップを含む。
【０１９９】
実施例４３は実施例４２の主題を含む。任意に、第２のＢＢＵ処理プールからの要求に基づいて、少なくとも１つのＲＲＨの制御を、第２のＢＢＵ処理プールから第１のＢＢＵ処理プールに移行するステップを含む。
【０２００】
実施例４４は、実施例２６〜４３のいずれか１つの主題を含む。任意に、複数のＢＢＵは、複数の仮想化された進化型ノードＢ（ｅＮＢ）を含む。
【０２０１】
実施例４５は、実施例２６〜４４のいずれか１つの主題を含む。任意に、共通公衆無線インタフェース（ＣＰＲＩ）プロトコルに従って、複数のＲＲＨを制御するステップを含む。
【０２０２】
実施例４６は、１以上の有形のコンピュータ可読の非一時的記憶媒体を備える製品を含む。非一時的記憶媒体はコンピュータ実行可能命令を含み、コンピュータ実行可能命令は、少なくとも１つのコンピュータプロセッサによって実行されると、該少なくとも１つのコンピュータプロセッサに、第１のベースバンドユニット（ＢＢＵ）処理プールにおいて方法を実行させる。該方法は、複数のＢＢＵを管理するステップであって、複数のＢＢＵは、トランスポートネットワークを介して複数の遠隔無線ヘッド（ＲＲＨ）を制御するように構成される、ステップと、第１のＢＢＵ処理プールと第２のＢＢＵ処理プールとの間で、少なくとも１つのＲＲＨの制御を移行するステップと、を含む。
【０２０３】
実施例４７は実施例４６の主題を含む。任意に、方法は、第１のＢＢＵ処理プールと第２のＢＢＵ処理プールとの間で、要求メッセージを通信するステップ、を含む。要求メッセージは、ソースＢＢＵ処理プールからターゲットＢＢＵ処理プールへのメッセージを含む。要求メッセージは、ソースＢＢＵ処理プールによって制御されるセルのセル情報と、セル内のＵＥのユーザ機器（ＵＥ）情報とを含む。
【０２０４】
実施例４８は実施例４７の主題を含む。任意に、要求メッセージはＸ２アプリケーションプロトコルメッセージを含む。
【０２０５】
実施例４９は、実施例４６〜４８のいずれか１つの主題を含む。任意に、方法は、少なくとも１つのＲＲＨの制御を、第１のＢＢＵ処理プールから第２のＢＢＵ処理プールに移行するステップを含む。
【０２０６】
実施例５０は実施例４９の主題を含む。任意に、方法は、第１のＢＢＵ処理プールとＲＲＨとの間のスイッチング要素をトリガして、ＲＲＨの制御パスを第２のＢＢＵ処理プールに切り替えるステップを含む。
【０２０７】
実施例５１は実施例４９又は５０の主題を含む。任意に、方法は、第１のＢＢＵ処理プールの負荷に基づいて、ＲＲＨの制御の移行をトリガするステップを含む。
【０２０８】
実施例５２は実施例５１の主題を含む。任意に、方法は、第１のＢＢＵ処理プールの負荷がＢＢＵ負荷閾値よりも大きいとき、ＲＲＨの制御の移行をトリガするステップを含む。
【０２０９】
実施例５３は、実施例４９〜５２のいずれか１つの主題を含む。任意に、方法は、複数のＲＲＨの全ての制御を第２のＢＢＵ処理プールに移行するステップを含む。
【０２１０】
実施例５４は実施例５３の主題を含む。任意に、方法は、第１のＢＢＵ処理プールの負荷がＢＢＵ負荷閾値未満であるとき、複数のＲＲＨの全ての制御の移行をトリガするステップを含む。
【０２１１】
実施例５５は、実施例４９〜５４のいずれか１つの主題を含む。任意に、方法は、第２のＢＢＵ処理プールに、ＲＲＨに対するバッファされたダウンリンクパケットを転送するステップを含む。
【０２１２】
実施例５６は、実施例４９〜５５のいずれか１つの主題を含む。任意に、方法は、第２のＢＢＵ処理プールに、移行が完了したという通知を送信するステップを含む。
【０２１３】
実施例５７は、実施例４９〜５６のいずれか１つの主題を含む。任意に、方法は、運用管理（ＯＡＭ）ネットワークエンティティからの要求に基づいて、ＲＲＨの制御を第２のＢＢＵ処理プールに移行するステップを含む。
【０２１４】
実施例５８は、実施例４９〜５７のいずれか１つの主題を含む。任意に、方法は、第２のＢＢＵ処理プールを選択するステップを含む。
【０２１５】
実施例５９は実施例５８の主題を含む。任意に、方法は、第２のＢＢＵ処理プールの負荷に基づいて、第２のＢＢＵ処理プールを選択するステップを含む。
【０２１６】
実施例６０は、実施例４９〜５９のいずれか１つの主題を含む。任意に、方法は、第２のＢＢＵ処理プールの負荷に基づいて、ＲＲＨの制御の第２のＢＢＵ処理プールへの移行をトリガするステップを含む。
【０２１７】
実施例６１は、実施例４９〜６０のいずれか１つの主題を含む。任意に、方法は、運用管理（ＯＡＭ）ネットワークエンティティから、第２のＢＢＵ処理プールの指示を受信するステップを含む。
【０２１８】
実施例６２は、実施例４６〜４８のいずれか１つの主題を含む。任意に、方法は、少なくとも１つのＲＲＨの制御を、第２のＢＢＵ処理プールから第１のＢＢＵ処理プールに移行するステップを含む。
【０２１９】
実施例６３は実施例６２の主題を含む。任意に、方法は、第２のＢＢＵ処理プールからの要求に基づいて、少なくとも１つのＲＲＨの制御を、第２のＢＢＵ処理プールから第１のＢＢＵ処理プールに移行するステップを含む。
【０２２０】
実施例６４は、実施例４６〜６３のいずれか１つの主題を含む。任意に、複数のＢＢＵは、複数の仮想化された進化型ノードＢ（ｅＮＢ）を含む。
【０２２１】
実施例６５は、実施例４６〜６４のいずれか１つの主題を含む。任意に、方法は、共通公衆無線インタフェース（ＣＰＲＩ）プロトコルに従って、複数のＲＲＨを制御するステップを含む。
【０２２２】
実施例６６は、第１のベースバンドユニット（ＢＢＵ）処理プールを管理する装置を含む。本装置は、複数のＢＢＵを管理するための手段であって、複数のＢＢＵは、トランスポートネットワークを介して複数の遠隔無線ヘッド（ＲＲＨ）を制御するように構成される、手段と、第１のＢＢＵ処理プールと第２のＢＢＵ処理プールとの間で、少なくとも１つのＲＲＨの制御を移行するための手段と、を備える。
【０２２３】
実施例６７は実施例６６の主題を含む。任意に、第１のＢＢＵ処理プールと第２のＢＢＵ処理プールとの間で、要求メッセージを通信するための手段を備える。要求メッセージは、ソースＢＢＵ処理プールからターゲットＢＢＵ処理プールへのメッセージを含む。要求メッセージは、ソースＢＢＵ処理プールによって制御されるセルのセル情報と、セル内のＵＥのユーザ機器（ＵＥ）情報とを含む。
【０２２４】
実施例６８は実施例６７の主題を含む。任意に、要求メッセージはＸ２アプリケーションプロトコルメッセージを含む。
【０２２５】
実施例６９は、実施例６６〜６８のいずれか１つの主題を含む。任意に、少なくとも１つのＲＲＨの制御を、第１のＢＢＵ処理プールから第２のＢＢＵ処理プールに移行するための手段を備える。
【０２２６】
実施例７０は実施例６９の主題を含む。任意に、第１のＢＢＵ処理プールとＲＲＨとの間のスイッチング要素をトリガして、ＲＲＨの制御パスを第２のＢＢＵ処理プールに切り替えるための手段を備える。
【０２２７】
実施例７１は実施例６９又は７０の主題を含む。任意に、第１のＢＢＵ処理プールの負荷に基づいて、ＲＲＨの制御の移行をトリガするための手段を備える。
【０２２８】
実施例７２は実施例７１の主題を含む。任意に、第１のＢＢＵ処理プールの負荷がＢＢＵ負荷閾値よりも大きいとき、ＲＲＨの制御の移行をトリガするための手段を備える。
【０２２９】
実施例７３は、実施例６９〜７２のいずれか１つの主題を含む。任意に、複数のＲＲＨの全ての制御を第２のＢＢＵ処理プールに移行するための手段を備える。
【０２３０】
実施例７４は実施例７３の主題を含む。任意に、第１のＢＢＵ処理プールの負荷がＢＢＵ負荷閾値未満であるとき、複数のＲＲＨの全ての制御の移行をトリガするための手段を備える。
【０２３１】
実施例７５は、実施例６９〜７４のいずれか１つの主題を含む。任意に、第２のＢＢＵ処理プールに、ＲＲＨに対するバッファされたダウンリンクパケットを転送するための手段を備える。
【０２３２】
実施例７６は、実施例６９〜７５のいずれか１つの主題を含む。任意に、第２のＢＢＵ処理プールに、移行が完了したという通知を送信するための手段を備える。
【０２３３】
実施例７７は、実施例６９〜７６のいずれか１つの主題を含む。任意に、運用管理（ＯＡＭ）ネットワークエンティティからの要求に基づいて、ＲＲＨの制御を第２のＢＢＵ処理プールに移行するための手段を備える。
【０２３４】
実施例７８は、実施例６９〜７７のいずれか１つの主題を含む。任意に、第２のＢＢＵ処理プールを選択するための手段を備える。
【０２３５】
実施例７９は実施例７８の主題を含む。任意に、第２のＢＢＵ処理プールの負荷に基づいて、第２のＢＢＵ処理プールを選択するための手段を備える。
【０２３６】
実施例８０は、実施例６９〜７９のいずれか１つの主題を含む。任意に、第２のＢＢＵ処理プールの負荷に基づいて、ＲＲＨの制御の第２のＢＢＵ処理プールへの移行をトリガするための手段を備える。
【０２３７】
実施例８１は、実施例６９〜８０のいずれか１つの主題を含む。任意に、運用管理（ＯＡＭ）ネットワークエンティティから、第２のＢＢＵ処理プールの指示を受信するための手段を備える。
【０２３８】
実施例８２は、実施例６６〜６８のいずれか１つの主題を含む。任意に、少なくとも１つのＲＲＨの制御を、第２のＢＢＵ処理プールから第１のＢＢＵ処理プールに移行するための手段を備える。
【０２３９】
実施例８３は実施例８２の主題を含む。任意に、第２のＢＢＵ処理プールからの要求に基づいて、前記少なくとも１つのＲＲＨの制御を、前記第２のＢＢＵ処理プールから前記第１のＢＢＵ処理プールに移行するための手段を備える。
【０２４０】
実施例８４は、実施例６６〜８３のいずれか１つの主題を含む。任意に、前記複数のＢＢＵは、複数の仮想化された進化型ノードＢ（ｅＮＢ）を含む。
【０２４１】
実施例８５は、実施例６６〜８４のいずれか１つの主題を含む。任意に、共通公衆無線インタフェース（ＣＰＲＩ）プロトコルに従って、複数のＲＲＨを制御するための手段を備える。
【０２４２】
１以上の実施形態を参照して本明細書に記載された機能、動作、コンポーネント及び／又は特徴は、１以上の他の実施形態を参照して本明細書に記載された１以上の他の機能、動作、コンポーネント及び／又は特徴と組み合わされてよく、或いは、組み合わせて利用されてよく、その逆であってもよい。
【０２４３】
本明細書では特定の特徴を図示し説明してきたが、当業者には多くの修正、置換、変更及び均等物が可能であろう。したがって、添付の特許請求の範囲は、そのような修正及び変更の全てを本開示の真の主旨に含まれるものとして包含するように意図されていることが理解されるべきである。
【図１】
0006312869.tif 000003
【図２】
0006312869.tif 000004
【図３】
0006312869.tif 000005
【図４】
0006312869.tif 000006
【図５】
0006312869.tif 000007
【図６】
0006312869.tif 000008
【図７】
0006312869.tif 000009